(57)【要約】【課題】前面パネルが可動する空気調和機で、運転時に内部機構の露出を無くし美観を保持できる外観となることを目的とする。【解決手段】前面パネルが駆動手段によりユニット本体と間隔を開けずに上方へスライドした時に、前面パネルとユニット本体の間に前面吸込口に連通する空気取入口が形成されるので、空気の吸込量を確保でき、且つ、前面吸込口や内部のフィルタや前面パネル駆動機構が使用者から視認されることがなく美観を保持できる。【選択図】図２
2010190536.tif 000002
【特許請求の範囲】
【請求項１】
前面上部および上面に吸込口を備え、前面下部に吹出口を備えたユニット本体と、前記前面上部の吸込口を開閉すべく、前記ユニット本体に取り付けた前面パネルを備えた空気調和機において、
側面における前記ユニット本体と前記前面パネルの合わせ目は同一の円弧または直線で成り、前記前面パネルの正面側は平滑もしくは正面側に膨らむ曲面で形成され、前記前面パネルは駆動手段により前記ユニット本体と間隔を開けずに前記円弧または前記直線に沿って上方へスライドするようにしたことを特徴とする空気調和機。
【発明の詳細な説明】
【技術分野】
【０００１】
本発明は、ユニット本体の前面吸込口を開閉する前面パネルを備えた空気調和機の構造に関するものである。
【背景技術】
【０００２】
昨今、空気調和機は、設置する室内のインテリアに調和するデザインが好まれている。そのため、本体色は、室内の壁紙に使われている白色やベージュ色などの明度の高い色が採用されている。また、形態においては、何処にでも取り付けられるようにコンパクトなサイズであり、さらに、吸込桟や吹出口による凹凸や孔によって存在が目立つことでインテリアに違和感を与えることがないように、前面がフラットパネルとなり、吹出口は風向板で塞がれる形態のものが多くなってきている。
【０００３】
この空気調和機は、上面と前面上部に吸込口を備え、前面下部に吹出口を備え、内部に熱交換器と送風ファンを収納したユニット本体と、そのユニット本体の前面に装着され、前面の吸込口を開閉する前面パネルと、吹出口に取り付けられ、同吹出口を開閉する風向板とで外郭が構成されている。運転時は、風向板が開くと共に正面の前面パネルが駆動機構により前上方へ可動し、開口された前面の吸込口より空気を吸い込み、運転停止時は、前面パネルと風向板が閉じることで、凹凸の無いフラットな形状で、インテリアに調和するデザインが得られる。（例えば特許文献１参照）
【先行技術文献】
【特許文献】
【０００４】
【特許文献１】特開２００６−１６２１３８号公報
【発明の概要】
【発明が解決しようとする課題】
【０００５】
しかしながら、運転停止時には凹凸の無いフラットな形状を保持しているが、運転時には前面パネルが前上方へ可動することで、前面パネルとユニット本体の間にできる隙間により、下方や側面から使用者に前面の吸込口と、その内部のフィルタや熱交換器や前面パネル開閉の為の駆動機構のアームが視認され、美観を損ねている。
また、前面吸込口の下方が開口されていることで、吹出口から吹き出された空気がすぐに前面吸込口に吸い込まれてしまう所謂ショートサーキットが発生して運転効率の低下を招いている。
【０００６】
本発明は上記の点に鑑みなされたもので、前面パネルが運転時に可動して空気の吸込量を確保でき、かつ、前面の吸込口や内部のフィルタや前面パネルの駆動機構が使用者から視認されることがなく美観を保持でき、吹出空気のショートサーキットも防止する空気調和機を提供することを目的とする。
【課題を解決するための手段】
【０００７】
本発明は、前面上部および上面に吸込口を備え、前面下部に吹出口を備えたユニット本体と、前記前面上部の吸込口を開閉すべく、前記ユニット本体に取り付けた前面パネルを備えた空気調和機において、
側面における前記ユニット本体と前記前面パネルの合わせ目は同一の円弧または直線で成り、前記前面パネルの正面側は平滑もしくは正面側に膨らむ曲面で形成され、前記前面パネルは駆動手段により前記ユニット本体と間隔を開けずに前記円弧または前記直線に沿って上方へスライドするようにしたことを主な特徴とする。
【発明の効果】
【０００８】
本発明は空気調和機において前面パネルが駆動手段によりユニット本体と間隔を開けずに上方へスライドした時に、前記前面パネルと前記ユニット本体の間に前面吸込口に連通する空気取入口が形成されるので、空気の吸込量を確保でき、かつ、前面吸込口や内部のフィルタや前面パネル駆動機構が使用者から視認されることがなく美観を保持でき、吹出空気のショートサーキットも防止できる利点がある。
【図面の簡単な説明】
【０００９】
【図１】は本発明の図であり（ａ）は運転停止時の斜視図、（ｂ） は運転時の斜視図、（ｃ）は運転停止時の側面図、（ｄ） は運転時の側面図である。
【図２】は本発明の断面図であり、(a)は運転停止時、(b)は運転時である。
【図３】本発明の分解図である。
【図４】本発明の前面パネルを背面から見た斜視図である。
【図５】本発明の他の実施例の図であり(a)は運転停止時の斜視図、(b) は運転時の斜視図である。
【図６】本発明の他の実施例の分解図である。
【図７】本発明の他の実施例の前面パネルを背面から見た斜視図である。
【発明を実施するための形態】
【００１０】
以下、図１から図４を参照して本発明の実施の形態を説明する。また図５から図７を参照して本発明の他の実施の形態を説明する。なお、同一部位などは同一符号を持って示して重複した説明を省略する。
【実施例１】
【００１１】
空気調和機１は、図１または図２示すように上面に上面吸込口１５が、前面上部に前面吸込口１６が、また前面下部には吹出口１７が設けられた箱形のユニット本体２と、このユニット本体２の前面に装着された前面パネル３と、前記吹出口１６に取り付けられた風向板１０とで外郭を構成している。また、前記ユニット本体２内には、熱交換器１１と送風ファン１２とフィルタ１３と電装品箱（図示せず）を支持するケーシング１４が設けられ、前記送風ファン１２により前記上面吸込口１５と前記前面吸込口１６から吸い込まれた吸込空気が前記フィルタ１３を通過して前記熱交換器１１で熱交換され冷気あるいは暖気となり、前記風向板１０で風向を調整して前記吹出口１７から室内に送出するようにしている。
【００１２】
前記ユニット本体２の正面側は、図３に示すように上端から吹出口１７の上端辺にかけて側面視でユニット本体側円弧２１で抉られた形に形成され、左右端に凹面２２を残し、前記前面吸込口１６を含む中央部２３が突出している。この中央部２３の内側には駆動装置５１が配置され、該駆動装置５１と連結軸５２で連結されたギア５３が左右端に取り付けられ、このギア５３が凹面２２に設けられたギア用孔２４から一部顔を出している。また、ユニット本体２の手前上端の左右端には後述する前記前面パネル３を係止する係止溝２５がある。さらに、前記中央部２３と吹出口１７の間には左右端を結び、一段落ち込んだ段差部２６があり、該段差部２６の中に係止孔２７が複数個所設けらている。
【００１３】
前記前面パネル３の横幅は前記ユニット本体２と同幅であり、平滑で緩やかに膨らんだ表面３１を有し、側面視で背面側は前記円弧２１と同一の前面パネル側円弧３２で形成されている。前記前面パネル３の背面側には、図４に示すように左右端部から内側方向へ、また上端から中ほどに掛けて延出した取付片３３があり、この取付片３３の上には前記ギア５３と噛み合うラック５４が設けられている。
【００１４】
前記前面パネル３の内側には前面パネル取付枠４０が取り付けられる。該前面パネル取付枠４の中央部は前記ユニット本体２の中央部２３に合わせた膨らみと、前面吸込口１６用開口部がある。上端には前記係止溝２５に係止するフック４１が左右端に設けられ、左右側面の端辺には前記前面パネル側円弧３２と同じ曲率でなる凹部が上部から中ほどに掛けて設けられ、これが前記取付片３３を受けるガイド部４２なる。
また、取付枠４０の下部にはユニット本体２よりも若干幅広い取付板４３があり、その裏面には前記ユニット本体２の係止孔２７に係止する係止爪４４が設けられている。
【００１５】
前記前面パネル３を前記ユニット本体２に取り付ける際は、まず前記前面パネル３の取付片３３を、前記前面パネル取付枠４のガイド部４２に上から嵌入する。このとき、前記ガイド部２３と前記取付片３３は上端から中ほどで止まっているため、前記前面パネル３は指定の位置で止まる。
次に、前記前面パネル取付枠４のフック４１を前記ユニット本体２の係止溝２５に上から挿入して、手前に降ろし、前記係止爪４４を前記係止孔２７に嵌入することで、前面パネル３がユニット本体２に保持される。
その際、前記取付板４３が左右端から若干飛び出す構成となる。この飛び出した部分が爪の役割を担い、メンテナンス等で前記前面パネル３を外す場合は、取付板４３に指を引っかけて手前に引き上げ、前記フック４１を外すことで、前面パネル３を外すことができる。
【００１６】
さらに、前面パネル３をユニット本体２に取り付けることで、自動的に前記ラック５４が前記ギア５３に噛み合わされることになる。
【００１７】
この空気調和機１がリモコンからの信号で運転を開始すると、前記風向板１０が開くと共に前記駆動装置５１が駆動し、前記連結軸５２を通して前記ギア５３が回転を始める。前記ギア５３と噛み合う前記ラック５４と、さらに前記ラック５４と一体である前記取付片３３を有する前記前面パネル３が前記ガイド部４２に沿って上方に可動する。前記ユニット本体２と前記前面パネル３の合わせ目は同一の前記ユニット本体側円弧２１と前記前面パネル側円弧３２で形成されていることから、前記前面パネル３は前記ユニット本体２に沿って間隔を開けずに上方へスライドすることになる。
また、前記前面パネル３が上方へスライドしたときに前記ユニット本体２との間に前記前面吸込口１６に連通する空気取入口１６ａが形成され、空気を取り入れることができることになる。
【００１８】
これにより、前記前面パネル３の表面に吸込桟が不要の平滑な面が形成できてインテリアに調和したデザインとなり、また、運転時にも、前記前面パネル３は前記ユニット本体２に沿って間隔を開けずに上方へスライドすることで前記前面パネル３と前記ユニット本体２の合わせ目に隙間が発生しないため、使用者から前面吸込口や内部のフィルタや駆動機構が側面や下方から視認されることがなく美観を保持できる。
さらに、前記前面パネル３と前記ユニット本体２の合わせ目に隙間が発生しないことから、吹出空気のショートサーキットも防止できる利点がある。
【実施例２】
【００１９】
実施例２の空気調和機１は、図５および図７に示すように上面に上面吸込口１５が、前面上部に前面吸込口１６が、また前面下部には吹出口１７が設けられた箱形のユニット本体２と、このユニット本体２の前面に装着された前面パネル３と、前記吹出口１７に取り付けられた風向板１０とで外郭を構成している。内部機構は前記実施例１と共通のため省略する。
【００２０】
前記ユニット本体２の正面側は、図６に示すように前面吸込口１６から上端まで後方へ傾いて形成され、その内側には駆動装置５１が配置されている。左右端には上端から中ほどに掛けて直線状の凹部があり、これが後述する取付片３３を受けるガイド部２８となる。このガイド部２８の本体側の面にはギア用孔２４がある。前記駆動装置５１と連結軸５２で連結されたギア５３が左右端に取り付けられ、このギア５３が該ギア用孔２４から一部顔を出している。
【００２１】
前記前面パネル３は平滑で緩やかに膨らんだ表面３１を有し、横幅は前記ユニット本体２と同幅である。前記前面パネル３の側面では、ユニット本体側端辺が直線でなり、ユニット本体２に保持された際にはユニット本体と面一で直線の合わせ目が形成されることになる。
また、前記前面パネル３の背面には、図７に示すように左右端部から内側方向へ、また上端から中ほどに掛けて延出した取付片３３があり、この取付片３３の上には前記ギア５３と噛み合うラック５４が設けられている。
【００２２】
前記前面パネル３は、前記取付片３３を前記ユニット本体２の前記ガイド部２８に上から嵌入して前記ギア５３と前記ラック５４を噛み合わせることで取り付けられ、前記前面パネル３を前記ユニット本体２に保持させることができる。その際、前記ガイド部２８と前記取付片３３は上端から中ほどで止まっているため、前記前面パネル３も指定の位置で止まる。また、メンテナンス等で前記前面パネル３を外す場合は、前面パネル３を引き上げることで外すことができる。
【００２３】
この空気調和機１がリモコンからの信号で運転を開始すると、前記風向板１０が開くと共に前記駆動装置５１が駆動し前記連結軸５２を通して前記ギア５３が回転を始め、前記ギア５３と噛み合う前記ラック５４と一体である前記取付片３３を有する前記前面パネル３が前記ガイド部２８に沿って直線状に上方にスライドする。前記前面パネル３は前記ユニット本体２に覆いかぶさるため上方へスライドしても間隔が開くことはない。
また、前記前面パネル３が上方へスライドしたときに前記ユニット本体２との間に前記前面吸込口１６に連通する空気取入口１６ａが形成され、空気を取り入れることができることになる。
【００２４】
これにより、前記前面パネル３の表面に吸込桟が不要となり平滑な面が形成できてインテリアに調和したデザインとなり、また、運転時にも、前記前面パネル３は前記ユニット本体２に沿って間隔を開けずに上方へスライドすることで前記前面パネル３と前記ユニット本体２の合わせ目に隙間が発生しないため、使用者から前面吸込口や内部のフィルタや駆動機構が側面や下方から視認されることがなく美観を保持できる。
さらに、前記前面パネル３と前記ユニット本体２の合わせ目に隙間が発生しないことから、吹出空気のショートサーキットも防止できる利点がある。
【符号の説明】
【００２５】
１    空気調和機
１０  風向板
１６  前面吸込口
１６a 空気取入口
２    ユニット本体
２１  ユニット本体側円弧
２３  ガイド部
３    前面パネル
３２  前面パネル側円弧
３３  取付片
４    取付枠
４２  ガイド部
５１  駆動装置
５２  連結軸
５３  ギア
５４  ラック
【図１】
2010190536.tif 000003
【図２】
2010190536.tif 000004
【図３】
2010190536.tif 000005
【図４】
2010190536.tif 000006
【図５】
2010190536.tif 000007
【図６】
2010190536.tif 000008
【図７】
2010190536.tif 000009